(57)【特許請求の範囲】
【請求項１】
複数のカセットトレイの移動を調整するための装置であって、
各々が別個のカセットトレイの隣接するカセットトレイレールに係合するように構成された複数の据え付けポストを含む第１端部、及び複数のケーブルを管理するように構成された内腔を有する本体
を含む、前記装置。
【請求項２】
前記本体が第２端部をさらに含む、請求項１に記載の装置。
【請求項３】
前記本体がさらに頂部と底部とを含み、前記底部が前記第１端部から前記第２端部まで延在し、前記頂部が前記第１端部と前記第２端部との間の隙間を含む、請求項２に記載の装置。
【請求項４】
前記据え付けポストが、前記本体の前記第１端部の側部から突き出している、請求項１に記載の装置。
【請求項５】
前記据え付けポストが、前記本体の前記第１端部の前記頂部の側部から突き出している、請求項３に記載の装置。
【請求項６】
前記内腔が、前記第１端部、前記第２端部、前記頂部及び前記底部によって境界を定められている、請求項３に記載の装置。
【請求項７】
前記本体の前記頂部が、ケーブルが前記内腔に出入りするのに十分な隙間を含む、請求項６に記載の装置。
【請求項８】
前記第２端部に位置する複数の位置合わせポストをさらに含む、請求項２に記載の装置。
【請求項９】
各位置合わせポストが、別個のカセットトレイレールと係合するように構成される、請求項８に記載の装置。
【請求項１０】
前記位置合わせポストが、前記本体の前記第２端部の側部から突き出している、請求項８に記載の装置。
【請求項１１】
複数のカセットトレイの移動を調整する方法であって、
統合用クリップの第１据え付けポストを第１カセットトレイレールの第１統合用クリップ溝に挿入し、前記統合用クリップの第２据え付けポストを第２カセットトレイレールの第２統合用クリップ溝に挿入すること
を含み、
前記第１カセットトレイレール及び前記第２カセットトレイレールは、別個のカセットトレイの隣接するカセットトレイレールであり、
前記統合用クリップは、複数のケーブルを管理するように構成された内腔を有するケーブル管理部分を有する、前記方法。
【請求項１２】
前記統合用クリップの前記ケーブル管理部分を、前記第１カセットトレイレールの前部ループ部分及び前記第２カセットトレイレールの前部ループ部分と位置合わせするステップをさらに含む、請求項１１に記載の方法。
【請求項１３】
前記統合用クリップに下向きの圧を加えて、前記統合用クリップの第１位置合わせポストを前記第１カセットトレイレールに係合させ、前記統合用クリップの第２位置合わせポストを前記第２カセットトレイレールに係合させるステップをさらに含む、請求項１２に記載の方法。
【請求項１４】
前記統合用クリップの前記ケーブル管理部分、ならびに前記第１カセットトレイレールの前記前部ループ部分及び前記第２カセットトレイレールの前記前部ループ部分を通るようにケーブルを経路決定するステップをさらに含む、請求項１２に記載の方法。
【請求項１５】
前記ケーブルは、前記統合用クリップの頂部の隙間を通して前記ケーブルを挿入することによって、前記統合用クリップの前記ケーブル管理部分を通るように経路決定される、請求項１４に記載の方法。
【請求項１６】
前記ケーブルは、前記ケーブルを前記第１カセットトレイレールの前記前部ループ部分の前記頂部の隙間を通して挿入することによって、前記第１カセットトレイレールの前記前部ループ部分を通るように経路決定され、前記ケーブルは、前記ケーブルを前記第２カセットトレイレールの前記前部ループ部分の前記頂部の隙間を通して挿入することによって、前記第２カセットトレイレールの前記前部ループ部分を通るように経路決定される、請求項１５に記載の方法。
【請求項１７】
前記ケーブルが一方向性経路決定方式で経路決定される、請求項１４に記載の方法。
【請求項１８】
複数のカセットトレイの移動を調整するシステムであって、
複数の可動式カセットトレイを収容するように構成されたシャーシであって、
第１カセットトレイが第１トレイベースと複数のカセットトレイレールを含み、前記第１カセットトレイの第１カセットトレイレールが、前記第１トレイベースの一端部に配置され、前記第１カセットトレイの第２カセットトレイレールが前記第１トレイベースの第２端部に配置され、前記第１カセットトレイの前記第１カセットトレイレールと前記第１カセットトレイの前記第２カセットトレイレールとが平行な向きで配置され、
前記第１カセットトレイの前記第１カセットトレイレールまたは前記第１カセットトレイの前記第２カセットトレイレールの少なくとも一方が、統合用クリップを収容するよう構成された統合用クリップ溝を含み、
第２カセットトレイが第２トレイベースと複数のカセットトレイレールを含み、前記第２カセットトレイの第１カセットトレイレールが前記第２トレイベースの一端部に配置され、前記第２カセットトレイの第２カセットトレイレールが前記第２トレイベースの第２端部に配置され、前記第２カセットトレイの前記第１カセットトレイレールと前記第２カセットトレイの前記第２カセットトレイレールとが平行な向きに配置され、
前記第２カセットトレイの前記第１カセットトレイレールまたは前記第２カセットトレイの前記第２カセットトレイレールの少なくとも一方が、統合用クリップを収容するように構成された統合用クリップ溝を含み、そして、
前記第１カセットトレイの前記第２カセットトレイレールが前記第２カセットトレイの前記第１カセットトレイレールに隣接している前記シャーシと、
別個のカセットトレイの隣接するカセットトレイレールを結合するように構成された統合用クリップであって、第１端部を備える本体を有する統合用クリップと
を含み、
前記第１端部が、第１据え付けポスト及び第２据え付けポストを含み、
前記本体が、複数のケーブルを管理するように構成された内腔を有する、前記システム。
【請求項１９】
前記第１据え付けポストが、前記第１カセットトレイの前記第２カセットトレイレールの統合用クリップ溝に係合するように構成される、請求項１８に記載のシステム。
【請求項２０】
前記第２据え付けポストが、前記第２カセットトレイの前記第１カセットトレイレールの統合用クリップ溝に係合するように構成される、請求項１９に記載のシステム。
【請求項２１】
前記第１カセットトレイと前記第２カセットトレイが、前記統合用クリップによって共に結合されている、請求項２０に記載のシステム。
【請求項２２】
前記第１カセットトレイと前記第２カセットトレイが、前記シャーシ内で共に移動するように構成されている、請求項２１に記載のシステム。
【請求項２３】
前記本体が第２端部をさらに含む、請求項１８に記載のシステム。
【請求項２４】
前記本体が、頂部と底部をさらに含み、前記底部が前記第１端部から前記第２端部まで延在し、前記頂部が前記第１端部と前記第２端部との間の隙間を含む、請求項２３に記載のシステム。
【請求項２５】
前記第１据え付けポスト及び前記第２据え付けポストが、前記本体の前記第１端部の側部から突き出している、請求項１８に記載のシステム。
【請求項２６】
前記第１据え付けポスト及び前記第２据え付けポストが、前記本体の前記第１端部の前記頂部の側部から突き出している、請求項２４に記載のシステム。
【請求項２７】
前記内腔は、前記第１端部、前記第２端部、前記頂部及び前記底部によって境界が定められている、請求項２４に記載のシステム。
【請求項２８】
前記本体の前記頂部は、ケーブルが前記内腔に出入りするのに十分な隙間を含む、請求項２７に記載のシステム。
【請求項２９】
前記第２端部に位置する複数の位置合わせポストをさらに含む、請求項２３に記載のシステム。
【請求項３０】
各位置合わせポストが、別個のカセットトレイレールに係合するように構成される、請求項２９に記載のシステム。
【請求項３１】
前記位置合わせポストが、前記本体の前記第２端部の側部から突き出している、請求項２９に記載のシステム。
【発明の詳細な説明】
【技術分野】
【０００１】
関連出願の相互参照
本出願は、２０１４年９月１２日に出願された米国仮出願第６２／０４９，４４２号の利益を主張するものであり、その主題は全体が参照により援用される。
【０００２】
本発明は、データセンター管理に関し、特に、高速データ伝送ファイバ・ケーブルシステムに関する。光ファイバは、ワイヤケーブルよりも長距離及び高帯域幅での通信の伝送を可能にする。また、光ファイバは、ワイヤケーブルよりも信号の損失が少なく、電磁干渉の影響を受けないため、通信システムにも有利である。したがって、光ファイバは、高帯域幅や長距離の用途でよく使用される。データセンターの主な機能の１つは、着信用の光ファイバ接続と発信用の光ファイバ接続との間の接続を提供することである。
【背景技術】
【０００３】
高帯域幅に対する需要が高まってきたため、より小型及び／またはより高容量のアダプタを使用して、光ファイバポート毎に必要とされるデータセンターのラックのスペースの量を最低限にすることは有利である。このため、データセンターの多くの使用者は、より小型のローカルコネクタアダプタ（「ＬＣアダプタ」）またはマルチ・ファイバ・プッシュオン／プルオフアダプタ（「ＭＰＯアダプタ」）に移行している。したがって、ＬＣアダプタまたはＭＰＯアダプタの数を最大にするラックまたはエンクロージャが有利な可能性がある。さらに、ラックまたはエンクロージャが、ＬＣアダプタを、マルチファイバ機能を提供するＭＰＯアダプタに置き換えることを可能にするのであれば、有利である可能性がある。
【０００４】
時々、光ファイバシステムにおいてアダプタの保守または交換が必要となる。しかし、光ファイバ間の接続を乱すことで、光学式ワイヤでのサービスの中断を引き起こすことがある。したがって、他のアダプタ保守間に光ファイバ接続を乱す数が最小限であるラックまたはエンクロージャシステムを使用することも、有利な可能性がある。
【発明の概要】
【０００５】
本発明は、ラックのスペースごとに利用できる接続の数を最大にするとともに、設置された光ファイバケーブルを容易にかつ妨害せずに保守または交換できるようにするためのエンクロージャを提供する。
【図面の簡単な説明】
【０００６】
【図１】本発明の実施形態による、前部アクセスドアが閉じられているシャーシの等角図である。
【図２】本発明の実施形態による、前部アクセスドアが開いているシャーシの等角図である。
【図３】本発明の実施形態による、前部ドアが開き、シャーシカバーが取り外されたシャーシの等角図である。
【図４】前部ドアが開いており、カセットトレイがコード移動または変更位置、及びカセット交換または追加位置にあるシャーシの等角図である。
【図５】１つのカセットがシャーシの前部から部分的に取り外されている図４のシャーシの等角図である。
【図６】図５に示すようなカセットトレイレールの前部の拡大図である。
【図７】統合用クリップが設置されたシャーシの等角図である。
【図８】図７に示すような、設置された統合用クリップ及びカセットトレイレールの拡大図である。
【図９】統合用クリップが一部設置された状態の、図８の設置された統合用クリップの拡大図である。
【図１０】統合用クリップを外した状態の、図８の設置された統合用クリップの拡大図である。
【図１１】本発明の実施形態による、前方からの統合用クリップの等角図である。
【図１２】本発明の実施形態による、後方からの統合用クリップの等角図である。
【図１３】頂部カセットトレイレールが定位置にあり、中央カセットトレイレールがコード移動または変更位置にあり、底部レールがカセット交換または追加位置にあるトレイガイド及びカセットトレイレールの透視図である。
【図１４】図１３のトレイガイド及びカセットトレイレールの破断透視図である。
【図１５】バネ突起及びトレイガイド戻り止めの透視図である。
【図１６】前部アクセスドアが開いていて、カセットトレイが取り外されているシャーシの等角図である。
【図１７】図１６のシャーシの部分分解等角図である。
【図１８】ラック据え付けブラケットの等角図である。
【図１９】ラック据え付けブラケットの等角図である。
【図２０】スラック管理プレートの等角図である。
【図２１Ａ】スラック管理プレート仕切りの等角図である。
【図２１Ｂ】スラック管理プレート仕切りの等角図である。
【図２２】図１６のシャーシの部分分解等角図である。
【図２３】中央トレイガイドを取り外した図１６のシャーシの部分分解等角図である。
【図２４】シャーシカバーを取り外した図１６のシャーシの部分分解等角図である。
【図２５Ａ】右側トレイガイドの等角図である。
【図２５Ｂ】右側トレイガイドの等角図である。
【図２６Ａ】中央トレイガイドの等角図である。
【図２６Ｂ】中央トレイガイドの等角図である。
【図２７Ａ】左側トレイガイドの等角図である。
【図２７Ｂ】左側トレイガイドの等角図である。
【図２８】カセットトレイの等角図である。
【図２９】１つのカセットをカセットトレイから取り外す過程にある図２８のカセットトレイの等角図である。
【図３０】１つのカセットをさらにカセットトレイから取り外す過程にある図２８のカセットトレイの等角図である。
【図３１】１つのカセットをさらにカセットトレイから取り外す過程にある図２８のカセットトレイの等角図である。
【図３２】カセットを取り外した状態のカセットトレイの等角図である。
【図３３】図３２のカセットトレイの分解等角図である。
【図３４Ａ】バネ突起及びカセットトレイレールの一部の等角図である。
【図３４Ｂ】図３４Ａのバネ突起及びカセットトレイレールの部分分解等角図である。
【図３５Ａ】カセットフレックスビーム及びカセットトレイレールの一部の等角図である。
【図３５Ｂ】図３５Ａのカセットフレックスビーム及びカセットトレイレールの部分分解等角図である。
【図３６Ａ】正しい向きの第１の態勢のＬＣ−ＭＰＯカセットの等角図である。
【図３６Ｂ】上下逆向きの第２の態勢のＬＣ−ＭＰＯカセットの等角図である。
【図３７】ＬＣアダプタカセットの部分分解等角図である。
【図３８】ＭＰＯファイバアダプタパネルの等角図である。
【図３９】図３８のＭＰＯファイバアダプタパネルと、ＭＰＯファイバアダプタパネルに設置される、前進する幹線ケーブル分岐脚の等角図である。
【図４０】ＭＰＯファイバアダプタパネルの集団機構ペグの間に３本の幹線ケーブル分岐却を固定した図３８のＭＰＯファイバアダプタパネルの等角図である。
【図４１】図４０のＭＰＯファイバアダプタパネルの平面図である。
【図４２】本発明の実施形態による一方向性パッチコード経路決定方式を適用しているシャーシの等角図である。
【図４３】一方向性パッチコード経路決定方式を概略的に示す平面図である。
【図４４】本発明の別の実施形態による分割パッチコード経路決定方式を適用しているシャーシの等角図である。
【図４５】分割パッチコード経路決定方式を概略的に示す平面図である。
【図４６】本発明の実施形態による幹線ケーブル管理システムの等角図である。
【図４７】垂直なケーブルマネージャの等角図である。
【図４８】図４７の垂直なケーブルマネージャの部分的な部分分解等角図である。
【図４９】図４７の垂直なケーブルマネージャの部分的な等角図である。
【図５０】移行バンドリングクリップを付けた移行管理パネルの等角図である。
【図５１】移行バンドリングクリップの平面図である。
【図５２】移行バンドリングクリップが設置された移行管理パネルの等角図である。
【図５３】図５２の移行管理パネルの部分分解等角図である。
【図５４Ａ】移行バンドリングクリップの一部及びバンドリングクリップファスナの拡大図である。
【図５４Ｂ】移行バンドリングクリップの一部及びバンドリングクリップファスナの拡大図である。
【図５５】幹線ケーブル管理システムの第２の実施形態の等角図である。
【図５６Ａ】移行管理パネルの第２の実施形態の等角図である。
【図５６Ｂ】移行管理パネルの第２の実施形態の等角図である。
【発明を実施するための形態】
【０００７】
高密度ファイバエンクロージャシステム２は、シャーシ１００、カセットトレイ２００、カセット４００、取り外し可能な統合用クリップ３００、及び取り外し可能な幹線ケーブル管理システム７００からなる。エンクロージャシステム２は、互いに積層された、いくつかのシャーシ１００で構成し得る。
【０００８】
図１は、前部アクセスドア１４０が閉じられているシャーシ１００の外側を示している。図２は、前部アクセスドア１４０が開いているシャーシ１００を示している。図３は、シャーシカバー１３４が取り外されたシャーシ１００を示している。また、図１、図２及び図３は、シャーシ１００に据え付けられたスラック管理プレート７０２も示している。図２、図３、図４及び図５に示しているように、シャーシ１００は、複数の摺動式カセットトレイ２００を含むことができる。図示の実施形態には、同じ列に互いに隣接して配置された２つのカセットトレイ２００がある。さらに、示している実施形態には、３列のカセットトレイ２００がある。各カセットトレイ２００はカセット４００を２つまで保持することができ、１つのシャーシ１００に合計６つまでのカセットトレイ２００と１２個のカセット４００を設置できるようになっている。シャーシ内に、同一の列の幾分かのカセットトレイ２００、また幾分かの列のカセットトレイを含み得る他の実施形態が企図されている。
【０００９】
図４及び図５に示すように、各カセットトレイ２００は、シャーシ１００の内外に摺動し得る複数のカセットトレイレール２１２を含む。図６は、２つのカセットトレイレール２１２の前部の拡大図を示す。図７及び図８は、２つのカセットトレイレール２１２に接続された統合用クリップ３００を示す。統合用クリップ３００を使用して、２つのカセットトレイ２００を共に結合することができる。統合用クリップ３００は３次元のＣ字形構造であることが好ましいが、統合用クリップ３００はＤ字形またはＯ字形であってもよく、統合用クリップ３００が２つのカセットトレイ２００を共に結合することを可能にする他の任意の形状であってもよい。図８、図９、図１０、図１１及び図１２に示しているように、統合用クリップ３００は、２つの据え付けポスト３０２、ケーブル管理領域３０４、頂部の隙間３０６及び位置合わせポスト３０８を有する。据え付けポスト３０２は、外側カセットトレイレール２４０または２４２に位置する統合用クリップ溝２５２と係合するよう構成される。据え付けポスト３０２は、統合用クリップ３００の両側の後部に位置する。ケーブル管理領域３０４は、統合用クリップ３００の内腔、すなわち、統合用クリップ３００内に配置された空きスペースにより画定される。位置合わせポスト３０８は、統合用クリップ３００の最前部に位置する。位置合わせポスト３０８は、カセットトレイレール２１２の最前部に係合し、統合用クリップ３００のケーブル管理領域３０４が、カセットトレイレール２４０または２４２の前部ループ２４６と位置合わせするようにする。頂部の隙間３０６は、統合用クリップ３００の後方の頂部に配置され、パッチケーブル４が通るのに十分な大きさである。したがって、パッチケーブル４は、統合用クリップ３００のケーブル管理領域３０４を通るような経路決定をすることによって管理し得る。統合用クリップ３００が設置されるとき、ケーブル管理領域３０４は、カセットトレイレール２１２の前部ループ２４６と位置合わせされるので、前部ループ２４６とケーブル管理領域３０４とが協働してパッチケーブル４を経路決定する。図８に示しているように、統合用クリップ３００が設置されると、統合用クリップ３００の据え付けポスト３０２はそれぞれ、異なるカセットトレイレール２１２にある統合用クリップ溝２５２に係合する。同様に、統合用クリップ３００の位置合わせポスト３０８はそれぞれ、異なるカセットトレイレール２１２に係合するが、ただし、据え付けポスト３０２と同じ２つのカセットトレイレール２１２に係合する。実施形態では、図９に示しているように、位置合わせポスト３０８を係合解除することによって、統合用クリップ３００をカセットトレイレール２１２から取り外すことができる。また、据え付けポスト３０２は、図１０に示しているように係合解除されてもよい。図１１は、統合用クリップ３００の正面からの等角図を示し、図１２は、統合用クリップ３００の背面からの等角図である。
【００１０】
図１３及び図１４は、トレイガイド１０４内の３つの異なる位置にあるカセットトレイレール２１２を示している。カセットトレイレール２１２は、トレイガイド１０２及び１０６にある同じ３つの位置に配置してもよい。トレイガイド１０２、１０４及び１０６は、カセットトレイ２００を３つの別個の位置、定位置、コード移動または変更位置、及びカセット交換または追加位置に配置するのに役立つ前部戻り止め１２０、中央戻り止め１２２及び後部戻り止め１２４を含む。また、トレイガイド１０２、１０４及び１０６は各々３つのトレイガイドチャネル１１４を含む。図１５は、カセットトレイレール２１２のバネ突起２３０と、トレイガイド１０２、１０４及び１０６の戻り止め１２０、１２２及び１２４との相互作用を示す。バネ突起２３０は、その中心に隆起部２５６を有する可撓性材料の平らな部分を含む。バネ突起２３０は、好ましくは、スチールなどの可撓性金属から構成される。バネ突起２３０の隆起部２５６は、カセットトレイレール２４０または２４２の方向で戻り止め１２０、１２２及び１２４よりも短い長さであり、また好ましくは、戻り止め１２０、１２２及び１２４と係合する形状にする。図１５に示しているように、バネ突起２３０は、隆起部２５６の反対方向に撓み、カセットトレイ２００及びカセット４００を前後方向に摺動させるのに十分な力が加えられると、隆起部２５６が戻り止め１２０、１２２及び１２４から離れ、カセットトレイレール２４０または２４２がトレイガイドチャネル１１４内のトレイガイド１０２、１０４または１０６に沿って自由に移動することを可能にする。隆起部２５６が別の戻り止め１２０、１２２または１２４に遭遇すると、隆起部２５６はその戻り止め１２０、１２２、及び１２４と係合し、十分な力を加えてカセットトレイ２００とカセット４００を別の位置に摺動させるまで、カセットトレイ２００とカセット４００を所定の位置に固定する。
【００１１】
また、図１６及び図１７にさらに示しているように、シャーシ１００は、前方制限フランジ１１６と、後方制限ブラケット１１８と、中央前方制限ブラケット１３６と、中央後方制限ブラケット１３８と、ラック据え付けブラケット１２６も備えている。前方制限フランジ１１６は、左側トレイガイド１０２及び右側トレイガイド１０４の最前縁に近接して配置されるシャーシ１００の左右の部分の突出部である。前方制限フランジ１１６の突出部は、シャーシ１００の内部に向かって９０度曲げられて、カセットトレイ２００とカセット交換または追加位置で係合する。後方制限ブラケット１１８は、左側トレイガイド１０２、右側トレイガイド１０４、及び中央トレイガイド１０６の最後縁に近接して配置または取り付けられたブラケットである。後方制限ブラケットは、定位置でカセットトレイ２００と係合する。中央トレイガイド１０６に取り付けられた中央後方制限ブラケット１３８は、定位置のシャーシ１００の同一列に位置するカセットトレイ２００の双方に係合する形状にする。また、中央前方制限ブラケット１３６は、中央トレイガイド１０６に取り付けられ、カセット交換または追加位置において、シャーシ１００の同列に位置するカセットトレイ２００の双方に係合する形状にする。カセットトレイ２００がトレイガイド１０２、１０４及び１０６内に設置され、後方制限ブラケット１１８、中央前方制限ブラケット１３６及び中央後方制限ブラケット１３８がシャーシ１００に設置されると、カセットトレイ２００は、シャーシ１００内で維持され、中央前方制限ブラケット１３６または後方制限ブラケット１１８及び中央後方制限ブラケット１３８を最初に取り外さなければ、取り外すことができない。
【００１２】
図１６及び図１７は、カセットトレイ２００及びカセット４００が取り外されたシャーシ１００を示す。図１７に示しているように、ラック据え付けブラケット１２６は、シャーシ１００と高密度ファイバエンクロージャシステム２との間の接続をもたらす。図１８及び図１９に示しているように、ラック据え付けブラケット１２６は、２列の皿穴貫通穴１２８を含むことができる。これは、ラック据え付けブラケット１２６をシャーシ１００に調整できるように据え付けることを可能にする。様々な据え付け位置の選択が、２列の皿穴貫通穴１２８によってもたらされ、設置者がシャーシ１００の前部を高密度ファイバエンクロージャシステム２の前部と位置合わせできるようにしている。また、ラック据え付けブラケット１２６は、ラック据え付けブラケット１２６の最前部の頂部及び底部の溝付き切断隙間１３２を含む。特に、溝付き切断隙間１３２が設置時にシャーシ１００の前部に面するように、ラック据え付けブラケット１２６の最前部は９０度に曲げられてもよい。溝付き切断隙間１３２は、設置者が高密度ファイバエンクロージャシステム２に位置する２つの事前に設置したネジにシャーシ１００を置けるようにすることによって、シャーシ１００を事前に設置することを可能にする。事前に設置したネジは、次いでシャーシ１００を高密度ファイバエンクロージャシステム２に設置するために締めることができる。
【００１３】
図２０は、切り欠き７０４を含むスラック管理プレート７０２の実施形態を示す。スラック管理プレート７０２は、任意選択で、図１〜５に示すような仕切り７２６を含むこともできる。仕切り７２６は、使用者が幹線ケーブル分岐脚６を組織することを可能にするスラック管理プレート７０２の平面に垂直に配置された、取り外し可能または永続的な壁などの構造で形成することができる。図２１Ａと図２１Ｂに、仕切り７２６の１つの実施形態を示す。
【００１４】
図２２は、シャーシ１００から取り外された中央トレイガイド１０６を示す。左側トレイガイド１０２及び右側トレイガイド１０４は、図２２、図２３及び図２４に示しているようにシャーシ１００に取り付けられている。具体的には、シャーシ１００の左側の壁１０８には左側トレイガイド１０２が取り付けられ、シャーシ１００の右側の壁１１０には右側トレイガイド１０４が取り付けられている。中央トレイガイド１０６はシャーシ１００に取り付けられている。あるいは、中央トレイガイド１０６は、左側トレイガイド１０２と右側トレイガイド１０４の両方を含むように一体的に形成してもよい。左側トレイガイド１０２と右側トレイガイド１０４は互いに鏡像である。トレイガイド１０２、１０４及び１０６の各々は、３つのトレイガイドチャネル１１４を有する。トレイガイドチャネル１１４は、カセットトレイ２００がシャーシ１００の内外に摺動するときにカセットトレイ２００を支持するのに役立つ。
【００１５】
図２２〜２４は、後方制限ブラケット１１８と中央後方制限ブラケット１３８をさらに示している。後方制限ブラケット１１８は、左側トレイガイド１０２、右側トレイガイド１０４及び中央トレイガイド１０６の最後縁に近接して配置または取り付けられたブラケットである。後方制限ブラケットは、定位置でカセットトレイ２００と係合する。中央トレイガイド１０６に取り付けられた中央後方制限ブラケット１３８は、定位置のシャーシ１００の同一列に位置するカセットトレイ２００の双方に係合する形状にする。カセットトレイ２００がトレイガイド１０２、１０４及び１０６内に設置され、制限ブラケット１１８及び１３８がシャーシ１００に設置されると、カセットトレイ２００はシャーシ１００内に維持され、最初に後方制限ブラケット１１８と１３８を取り外さなければ、取り外すことができない。
【００１６】
図２５Ａ及び図２５Ｂは、右側トレイガイド１０４を示す。右側トレイガイド１０４は、トレイガイド１０４の一方の面を長手方向にかつ互いにほぼ平行に延びる複数のトレイガイドチャネル１１４を含む。一実施形態では、３つのトレイガイドチャネル１１４は、右側トレイガイド１０４を含む。さらに、各トレイガイドチャネル１１４は、図２５Ａに示しているように、前部戻り止め１２０、中央戻り止め１２２及び後部戻り止め１２４を含む。
【００１７】
図２６Ａ及び図２６Ｂは、中央トレイガイド１０６を示す。中央トレイガイド１０６は、トレイガイド１０６の両側を長手方向にかつ互いにほぼ平行に延びる複数のトレイガイドチャネル１１４を含む。一実施形態で、中央トレイガイド１０６の各面に配置された３つのトレイガイドチャネル１１４は中央トレイガイド１０６を含む。さらに、各トレイガイドチャネル１１４は、図２６Ａに示しているように、前部戻り止め１２０、中央戻り止め１２２及び後部戻り止め１２４を含む。
【００１８】
図２７Ａ及び図２７Ｂは、左側トレイガイド１０２を示す。左側トレイガイド１０２は、トレイガイド１０２の一方の面を長手方向にかつ互いにほぼ平行に延びる複数のトレイガイドチャネル１１４を含む。一実施形態で、３つのトレイガイドチャネル１１４が左側トレイガイド１０６を含む。さらに、各トレイガイドチャネル１１４は、図２５Ａに示しているように、前部戻り止め１２０、中央戻り止め１２２及び後部戻り止め１２４を含む。実施形態では、左側トレイガイド１０２と右側トレイガイド１０４は、互いに鏡像である。
【００１９】
図２８、図２９、図３０、図３１、図３２及び図３３に示しているように、各カセットトレイ２００は、トレイベース２１０と、カセットトレイレール２１２と、カセットフレックスビーム２１４とからなる。トレイベース２１０は、好ましくは、板金ベースから構成される。トレイベース２１０は、設置者または使用者がパッチコード４（図示せず）にアクセスするための最大の許容範囲を提供する前部凹部領域２１６を含む。また、トレイベース２１０は右側カセットベイ２１８及び左側カセットベイ２２０を有する。各カセットベイ２１８及び２２０は、設置者が、カセットトレイ２００の底部及び頂部から、設置されたパッチコード４にアクセスすることを可能にするカセットの隙間２２２を含む。最後に、左側カセットトレイレール２４０と右側カセットトレイレール２４２が各カセットベイ２１８と２２０内でカセットトレイ２００に配置され、各カセットベイ２１８と２２０が、カセットベイ２２０の左側に配置された左側カセットトレイレール２４０と、カセットベイ２１８の右側に配置された右側カセットトレイレール２４２とを含むようにする。あるいは、中央カセットトレイレール２７６を使用する場合、右側カセットベイ２１８は、右側カセットベイ２１８の右側に配置されたカセットトレイレール２４２と、右側カセットベイ２１８の左側に配置された中央カセットトレイレール２７６とを含むことができ、左側カセットベイ２２０は、左側カセットベイ２２０の左側に配置された左側カセットトレイレール２４０と、左側カセットベイ２２０の右側に配置された中央カセットトレイレール２７６とを含むことができる。高密度ファイバエンクロージャシステム２の利用について言及しながら本明細書でさらに論じるように、図２９〜図３１は、カセット４００をシャーシ１００の前部から取り外す様々な段階のカセットトレイ２００を示す。
【００２０】
図３２と図３３に示しているように、前部パッチコード管理ループ２４４が、カセットトレイレール２１２の最前部に配置されている。前部パッチコード管理ループ２４４は、パッチコード４のための組織構造を提供し、前部ループ２４６と、パッチコード４を経路決定する隙間２４８とからなる。隙間２４８は、パッチコード４が前部ループ２４６を通って右から左へ、または左から右へ移動することを可能にする。前部ループ２４６は、パッチコード４が通るのに十分な幅である、最上部の溝２５０を有する。したがって、パッチコード４は、パッチコード４のいずれかの端部を外すことなく、溝２５０を介して前部ループ２４６に出入りすることができる。統合用クリップ溝２５２は、カセットトレイレール２４０または２４２の前部パッチコード管理ループ２４４の真後ろに位置する。統合用クリップ溝２５２は、カセットトレイレール２４０または２４２の外側に位置する。中央カセットトレイレール２７６は、統合用クリップ溝２５２を含まない。カセットトレイレール２１２のさらに後方には、前部ポスト停止領域２３４が配置される。前部ポスト停止領域２３４は、カセット前部ポスト４１０と相互作用して、カセット４００をカセットトレイレール２１２に適切に固定する。前部ポスト停止領域２３４の近位及び後方にポスト停止不連続部２３６が配置される。ポスト停止不連続部２３６は、カセットトレイレール２１２の平滑な部分であり、カセット４００の前部ポスト４１０及び後部ポスト４１２が、ポスト停止不連続部２３６内のカセットトレイレール２１２と係合しないことを確実にする。ポスト停止不連続部２３６の近位及び後方には、後部ポスト停止部２３８が配置される。後部ポスト停止部２３８は、カセット４００の後部ポスト４１２と相互作用するように設計されたノッチであり、後部ポスト停止部２３８が３つの側部で後部ポスト４１２を捉え、カセット４００が上方または後方に移動するのを阻止している。
【００２１】
図３２及び図３３にさらに示しているように、カセットセンタリング機構２５８も、カセットトレイレール２１２に一体化されている。カセットセンタリング機構２５８は、カセットトレイレール２１２の底部に位置する三角形の突出部であり、前部ポスト停止領域２３４のまさに近位及び後方にある。カセットセンタリング機構２５８は、カセット４００がシャーシ１００の後部から装填されたときに、外側シャッタ付きＬＣアダプタ５０４またはＭＰＯパッチコードアダプタ６０４がカセットセンタリング機構２５８と接触するように設計され、カセット４００の前方への継続した移動によって、カセット４００をカセットトレイレール２４０または２４２と適切に位置合わせするよう駆立て、前部ポスト４１０が前部ポスト停止領域２３４に係合し、後部ポスト４１２が後部ポスト停止部２３８に本質的に同時に係合するようにする。
【００２２】
図３３は、左側カセットトレイレール２４０、右側カセットトレイレール２４２及び中央カセットトレイレール２７６を示す。カセットトレイレール２１２は各々、支持リブ２２８、バネ突起２３０、前部ポスト停止領域２３４、ポスト停止不連続部２３６及び後部ポスト停止部２３８からなる。左側カセットトレイレール２４０及び右側カセットトレイレール２４２は、互いに鏡像であってもよい。実施形態では、中央カセットトレイレール２７６は、中央カセットトレイレール２７６の両側について、バネ突起２３０、前部ポスト停止領域２３４、ポスト停止不連続部２３６及び後部ポスト停止部２３８からなる。代替の実施形態では、中央カセットトレイレール２７６は、背中合わせに配置された左側カセットトレイレール２４０と右側カセットトレイレール２４２とを備える。中央カセットトレイレール２７６は支持リブ２２８を含まない。左側カセットトレイレール２４０は左側トレイガイド１０２内を移動し、右側カセットトレイレール２４２は右側トレイガイド１０４内を移動する。カセットトレイレール２１２の支持リブ２２８は、カセットトレイレール２４０または２４２及びカセットトレイ２００を支持するトレイガイド１０２、１０４、１０６の頂部に沿って移動する。カセットトレイレール２４０または２４２の支持リブ２２８は、カセットトレイレール２４０か２４２の底部に沿って、カセットトレイレール２４０から２４２の後部から、前部パッチコード管理ループ２４４に広がる。
【００２３】
図１３及び図１４に示しているように、カセットトレイ２００及びカセット４００が３つの異なる位置で高密度ファイバエンクロージャ２に出入りする移動を容易にするために、カセットトレイレール２１２のさらなる機構が設計されている。停止ブロック２３２は、前方制限フランジ１１６と相互作用して、カセット交換または追加位置でのカセット４００の前方移動を制限する。カセット交換または追加位置は、カセットトレイ２００及びカセット４００の最も前方に配置され、使用者がカセットを交換またはシャーシ１００に追加することを可能にする。停止ブロック２３２（図３４Ａ及び図３４Ｂに示しているように）をカセットトレイレール２１２の後部付近に配置して、カセット交換または追加位置でカセット４００の前進動作が停止するようにする。
【００２４】
図３４Ａ及び図３４Ｂに示しているように、カセットトレイレール２４０及び２４２の最後部にバネ突起２３０が配置されている。中央カセットトレイレール２７６はバネ突起２３０を含まない。バネ突起２３０は戻り止め１２０、１２２及び１２４と干渉し、カセット４００及びカセットトレイ２００を定位置、コード移動または変更位置、及びカセット交換または追加位置に配置するようにする。特に、バネ突起２３０は、カセット交換または追加位置で前部戻り止め１２０内に配置される。バネ突起２３０は、コード移動または変更位置の中央戻り止め１２２内に配置される。最後に、バネ突起２３０は、定位置の後部戻り止め１２４内に配置される。バネ突起２３０は、中心に隆起部２５６を有する可撓性材料の平坦な部分を含む。バネ突起２３０は、好ましくは、スチールなどの可撓性金属から構成される。バネ突起２３０の隆起部２５６は、カセットトレイレール２４０または２４２の方向で戻り止め１２０、１２２及び１２４よりも短い長さであり、好ましくは、戻り止め１２０、１２２及び１２４と係合するような形状にする。図１５に示しているように、バネ突起２３０は隆起部２５６の反対方向に撓み、カセットトレイ２００及びカセット４００を前後方向に摺動させるのに十分な力が加えられると、隆起部２５６が戻り止め１２０、１２２及び１２４から離れ、トレイガイド１０２、１０４または１０６に沿ってカセットトレイレール２４０または２４２が自由に移動できるようにする。隆起部２５６が別の戻り止め１２０、１２２または１２４に遭遇すると、隆起部２５６は戻り止め１２０、１２２または１２４と係合し、カセットトレイ２００及びカセット４００を別の位置に摺動させるのに十分な力が加えられるまで、カセットトレイ２００及びカセット４００を定位置に固定する。
【００２５】
図３５Ａ及び３５Ｂに示しているように、カセットフレックスビーム２１４は、カセット４００に係合するような形状のビームで形成し、カセット４００がカセットトレイ２００にしっかりと設置され、カセットトレイ４００内でカセット２００の所望ではない動きが生じないようにする。左側カセットフレックスビーム２６０は、左側カセットトレイレール２４０に配置され、右側カセットフレックスビーム２６２は右側カセットトレイレール２４２に配置される。左側カセットフレックスビーム２６０は右側カセットフレックスビーム２６２の鏡像である。カセットフレックスビーム２１４はビーム部２６４、捕捉壁２６６、前部リードイン２６８及び据え付け穴２７０を備える。カセットフレックスビーム２１４のビーム部２６４は、捕捉壁２６６と据え付け穴２７０との間に配置され、略水平である。カセットフレックスビーム２１４の捕捉壁２６６は、ビーム部２６４の最後部に配置され、略垂直である。捕捉壁２６６は、カセット４００の前部ポスト４１０と係合するような形状にされるディボット２７２を含み、可撓性ビーム２１４を偏向させるのに十分な上向きの力がカセット４００に加えられるまで、捕捉壁２６６がカセット４００を上方向に移動しないようにする。また、捕捉壁２６６はカセット４００の前部ポスト４１０に後方への圧を加えて、カセット４００が設置された位置にある間、ガタつきまたは他の望ましくない動きを最小にする。前部リードイン２６８は、捕捉壁２６６の一部であり、捕捉壁２６６の残りの部分から後方に突き出している。前部リードイン２６８は、前部カセットの設置中にカセット４００の前部ポスト４１０をディボット２７２内に案内する。前部リードイン２６８はまた、ディボット２７２の頂部を形成する。据え付け穴２７０は、カセットフレックスビーム２１４のビーム部２６４の最前部に配置される。据え付け穴２７０は、フレックスビーム２１４をカセットトレイレール２１２と組み立てたときに、フレックスビーム２１４をカセットトレイレール２４０または２４２に据え付けるよう構成される。また、カセットフレックスビーム２１４は、カセットトレイレール２１２と一体的に形成されてもよい。カセットフレックスビーム２１４が、カセットトレイレール２１２と一体的に形成される場合、据え付け穴２７０は不要である。
【００２６】
高密度ファイバエンクロージャシステム２、ＬＣ−ＭＰＯカセット５００（図３６Ａ、図３６Ｂ及び図３７）、及びＭＰＯファイバアダプタパネル（本明細書では、以下、「ＭＰＯ  ＦＡＰ」とする）６００（図３８、図３９、図４０及び図４１）で使用するための２つの異なるタイプのカセット４００が開示されている。ただし、他の種類のカセット４００も使用できる。高密度ファイバエンクロージャシステム２で使用されるカセット４００は、カセット本体４０６、カセットカバー４０８、カセット前部ポスト４１０、カセット後部ポスト４１２、カセット後部ポスト解除ラッチ４１４、及びカセット後部解除ラッチ停止部４１６を有してもよい。カセット本体４０６は、略長方形であり、ベース４１８、右側側面４２０及び左側側面４２２を有する。右側側面４２０は右側の壁４２４、左側側面４２２は左側の壁４２６を有し、ベース４１８の右側側面４２０と左側側面４２２において、ベース４１８に対してほぼ９０度の角度で取り付けられている。カセットカバー４０８は、右側の壁４２４から左側の壁４２６までカセット本体４０６のベース４１８に平行に延在するように設けられている。カセットカバー４０８は、カセット４００の構成要素を保護するために設けられている。また、カセット４００は上面インジケータ４２８と底面インジケータ４３０を含むことができる。上面インジケータ４２８は、カセットカバー４０８の外側部分に配置される。また、視認可能であるとき設置されたカセット４００の上から見えるように、カセット４００が正しい向きの第１の態勢で配置されることを示す（図３６Ａ参照）。底面インジケータ４３０は、カセット本体４０６の外側部分に配置され、視認可能であるとき設置されたカセット４００の上から見えるように、カセット４００は、上下逆向きの第２の態勢で配置されることを示す（図３６Ｂ参照）。上面インジケータ４２８と底面インジケータ４３０は、隆起エンボス加工、カセット４００に取り付けられたプレートまたはラベル、塗装された領域、または他の任意の形態のマーキングから構成されることが可能である。上面インジケータ４２８と底面インジケータ４３０は、カセット４００が正しい向きの第１の態勢にあるか、上下逆向きの第２の態勢にあるかを使用者に知らせるのに十分な単語、数、フレーズ、記号、またはそれらの組み合わせであってもよい。あるいは、カセット４００の上面及び底面に凹部４３６を設けて、使用者が自分のラベルをカセット４００の両面に貼り付ける位置にすることができるようにしてもよい。凹部４３６は任意の形状でよいが、好ましくは長方形である。
【００２７】
上述したように、カセット前部ポスト４１０は、カセットトレイレール前部ポスト停止領域２３４と相互作用するように設計され、設置された位置でカセット前部ポスト４１０が、カセットトレイレール前部ポスト停止領域２３４の内側にあり、カセットトレイレール前部ポスト停止領域２３４に位置するカセットフレックスビーム２１４の捕捉壁２６６によって、前方への移動が阻止されるようにする。カセット後部ポスト４１２は、カセット設置位置においてカセットトレイレール後部ポスト停止部２３８と相互作用するように設計されている。カセット設置位置では、カセット後部ポスト４１２は、カセットトレイレール後部ポスト停止部２３８内に保持され、カセット４００の後方及び上方への移動を阻止する。
【００２８】
図３６Ａ、図３６Ｂ、図３７、図３８、図３９、図４０及び図４１に示しているが、カセット後部ポスト解除ラッチ４１４は、使用者がカセット４００を取り外すことを望むとき、カセット後部ポスト４１２をカセットトレイレール後部ポスト停止部２３８から係合解除するように設計される。カセット後部ポスト解除ラッチ４１４は、好ましくは、カセット後部ポスト４１２の後部からの突出部４３２と、カセット４００の本体と後部ポスト４１２との間にある隙間４３４とから構成される。カセット後部ポスト解除ラッチ４１４は、カセット後部ポスト解除ラッチ４１４に圧が加えられたとき、後部ポスト４１２が内側に撓むようにする弾性材料から構成される。使用者がカセット４００を取り外すことを望むとき、使用者は、カセット後部ポスト解除ラッチ４１４に内向きの圧を加える。その後、カセット後部ポスト４１２は、内方へ移動し、カセットトレイレール後部ポスト停止部２３８から係合解除される。その時、カセット４００は、カセットトレイ２００から取り外すことができる。カセット後部ポスト解除ラッチ停止部４１６は、カセット４００の本体の所定の位置に配置され、カセット後部ポスト解除ラッチ４１４に内向きの圧力が加えられたときに、カセット後部ポスト解除ラッチ４１４に係合する。カセット後部ポスト解除ラッチ停止部４１６は、カセット後部ポスト４１２が内方へ十分な距離移動できるように位置付けられ、カセット後部ポスト４１２が内方へ過度に移動するのを阻止しながら、カセットトレイレール後部ポスト停止部２３８から係合解除する。カセット後部ポスト４１２の内方への過度な移動を阻止することは、不要な材料の疲労及び／またはカセット後部ポスト解除ラッチ４１４の故障を最小限に抑え、カセット４００の使用可能寿命を延ばすことができる。カセット後部ポスト解除ラッチ停止部４１６は、ポスト、またはカセット４００の本体から延びる他の突出部から構成されることが可能である。あるいは、カセット後部ポスト解除ラッチ停止部４１６は、カセット４００の本体の一部であってもよい。
【００２９】
上述したように、高密度ファイバエンクロージャシステム２では、少なくとも２つの異なるタイプのカセット４００、すなわちＬＣ−ＭＰＯカセット５００（図３６Ａ、図３６Ｂ及び図３７）及びＭＰＯ  ＦＡＰ６００（図３８、図３９、図４０及び図４１）を使用することができる。上述したカセットの機構に加えて、ＬＣ−ＭＰＯカセット５００は、前部ＬＣ据え付け面５０２、シャッタ付きＬＣアダプタ５０４、後部ＭＰＯ据え付け開口部５０６及びＭＰＯ幹線アダプタ５０８を含む。前部ＬＣ据え付け面５０２は、ＬＣ−ＭＰＯカセット５００の前部に位置し、シャッタ付きＬＣアダプタ５０４を据え付けるための場所を提供する。シャッタ付きＬＣアダプタ５０４は、シャッタ付きＬＣアダプタなどのデータ管理センター内のパッチコード４を接続するための、当該技術分野で知られ使用されている標準的なアダプタである。あるいは、例えば、シャッタ付きＬＣアダプタやシャッタの付いていないＬＣアダプタを使用することができる。前部ＬＣ据え付け面５０２は、最大６つのシャッタ付きＬＣアダプタ５０４のための空間を提供する。ＭＰＯ幹線アダプタ５０８は、カセット本体４０６の後部に位置し、各々がダストキャップ１６を含む幹線ケーブル分岐脚６に接続する。ダストキャップ１６は、ＭＰＯ幹線アダプタ５０８に幹線ケーブル分岐脚６を設置する前に、幹線ケーブル分岐脚６から取り外す。ＭＰＯ幹線アダプタ５０８は、パンドウイット（Ｐａｎｄｕｉｔ）のＳＣスタイルのシンプレックスフォームアダプタなどの、当該技術分野において知られる標準的なアダプタである。後部ＭＰＯ据え付け開口部５０６は、カセット本体４０６の後部に位置し、ＭＰＯ幹線アダプタ５０８をカセット本体４０６に据え付けるために、カセット本体４０６に場所を各々提供する。一実施形態で、４つのＭＰＯ据え付け開口部５０６が、カセット本体４０６に位置し、このカセット本体４０６により、最大４つのＭＰＯ幹線アダプタ５０８をカセット本体４０６に据え付けることが可能になる。
【００３０】
ＬＣ−ＭＰＯカセット５００（または他のタイプのカセット４００）に代わるものとして、ＭＰＯ  ＦＡＰ６００を、図３８、図３９、図４０及び図４１に示すように使用することができる。上述したカセットの機構に加えて、ＭＰＯ  ＦＡＰ６００は、前部ＭＰＯ据え付け面６０２、ＭＰＯパッチコードアダプタ６０４、底部開口部６０８及び集団機構６１０も含む。前部ＭＰＯ据え付け面６０２は、カセット本体４０６の前部に位置し、最大６つのＭＰＯパッチコードアダプタ６０４を据え付けるための場所を提供する。ＭＰＯパッチコードアダプタ６０４は、パッチコード４をカセット６００に接続するように構成されている。最大６つのＭＰＯパッチコードアダプタ６０４が、各々がダストキャップ１６を有する最大６つの幹線ケーブル分岐脚６を接続するための場所を提供する。幹線ケーブル分岐脚６をＭＰＯパッチコードアダプタ６０４に設置する前に、ダストキャップ１６を幹線ケーブル分岐脚６から取り外す。底面開口部６０８は、カセット本体ベース４１８に配置され、前部ＭＰＯ据え付け面６０２の真後ろにある。底面開口部６０８により、使用者は、ＭＰＯ幹線ケーブル分岐脚６に上下からアクセスすることができ、使用者は幹線ケーブル分岐脚６をＭＰＯ幹線アダプタ６０４に接続するか、ＭＰＯ幹線アダプタ６０４から外すことができる。
【００３１】
図３８〜４１に示しているように、集団機構６１０は、ＭＰＯ  ＦＡＰ６００内のＭＰＯ幹線アダプタ６０４に取り付けられた幹線ケーブル分岐脚６を設置、追加、または変更するための幹線ケーブル分岐脚６の捕捉及び経路決定システムを提供する。集団機構６１０は、ＭＰＯ  ＦＡＰ６００のベース４１８に配置される複数の列の偏倚ペグ６１２から構成される。ペグ６１２は、円筒形、三角形、長方形などの任意の形状であってよい。好ましくは、各列に３〜４個のペグ６１２が設けられる。幹線コード６を設置するとき、使用者は幹線ケーブル分岐脚６をペグ６１２の列に経路決定する。ペグ６１２の列の偏倚している性質により、幹線ケーブル分岐脚６の位置がゆるく保持され、カセット６００がカセットトレイ２００の動きにより、カセット取り出しまたは追加位置へ移動する。カセットトレイ２００がカセット取り出しまたは追加位置にくると、ＭＰＯコネクタ８がペグ６１２から係合解除され、幹線ケーブル分岐脚６はＭＰＯ幹線アダプタ６０４に達するように延伸し、その時点でＭＰＯコネクタダストキャップ１６を取り外すことができる。次に、幹線ケーブルＭＰＯコネクタ８は、ＭＰＯ幹線アダプタ６０４に接続される。幹線ケーブル分岐脚６は、ペグ６１２の列を通ったままであってよい。
【００３２】
図４２、図４３、図４４及び図４５は、カセットトレイ２００内のケーブル管理の複数の実施形態を示す。図４２は、パッチケーブル４が前部パッチコード管理ループ２４４を通って一方向に経路決定される一方向性ケーブル管理方式を示す。図４２及び図４３に示しているように、一方向性方式を使用する場合、通常、統合用クリップ３００が設置される。図４３は、図４２に示すケーブルの流れの俯瞰図を示す。図４４は、パッチケーブル４が前部パッチコード管理ループ２４４を通るように２つの別々の方向に経路決定される分割経路決定ケーブル管理方式を示す。具体的には、図４４に示しているように、シャーシ１００の左側に設置されたカセットトレイ２００から出たパッチケーブル４は、シャーシ１００の左側に経路決定され、シャーシ１００の右側に設置されたカセットトレイ２００から出るパッチケーブル４は、シャーシ１００の右側に経路決定される。図４５は、図４４に示すケーブルの流れの俯瞰図を示す。
【００３３】
図４６に示しているように、高密度ファイバエンクロージャシステム２は幹線ケーブル管理システム７００も含むことができる。幹線ケーブル管理システム７００は、スラック管理プレート７０２及び垂直なケーブルマネージャ７０８を含む。
【００３４】
図４６（図１〜５と同様）に示しているように、スラック管理プレート７０２は、バネ装填ファスナ７０６及び支持ピン７２４（図２０に示す）を使用して、スラック管理プレート７０２の最前部をシャーシの左側の壁１０８と右側の壁１１０の最後部に取り付けることによりシャーシ１００に据え付けられている。支持ピン７２４は、スラック管理プレート７０２に接続され、スラック管理プレート７０２が支持ピン７２４の周りを回転できるようにする。バネ装填ファスナ７０６は、スラック管理プレート７０２をシャーシの左側の壁１０８と右側の壁１１０に固定する。スラック管理プレート７０２は比較的平らな面を提供し、その面にシャーシ１００を出る幹線ケーブル分岐脚６の一部分が静止し、幹線ケーブル分岐脚６の引張を低減することができる。さらに、スラック管理プレート７０２は、幹線ケーブル分岐脚６のスラックの管理を可能にし、これはカセットトレイ２００の完全な伸張により、幹線ケーブル分岐脚６への引張をさらに減らせるようにするのに適切なものである。スラック管理プレート７０２は、好ましくは切り欠き７０４を含み、これらはスラック管理プレート７０２上にあるときに、幹線ケーブル分岐脚６を取り外し可能かつ確実に組織するために、ピン、ファスナ、セパレータ、ケーブルタイ、及び／または他の機構を可能にするものである。切り欠き７０４は任意の形状であってよいが、図１〜５に示しているように、好ましくは正方形または長方形である。好ましくは、１つのカセット４００に設置された幹線ケーブル分岐脚６は、仕切り７２６の一方の側に配置することができ、他方のカセット４００に設置された幹線ケーブル分岐脚６は、仕切り７２６の他方の側に配置し得る。スラック管理プレート７０２は、好ましくは各シャーシ１００に据え付けられる。
【００３５】
図４６、図４７及び図４８に示しているように、垂直なケーブルマネージャ７０８は、高密度ファイバエンクロージャシステム２の側面に据え付けられ、幹線ケーブル１４及び幹線ケーブル分岐脚６への引張を組織及び低減するための構造を提供する。垂直なケーブルマネージャ７０８は、取り付けポイント７１２及びパネル取り付けクリップ７１４を有する移行管理パネル７１０、ケーブル管理フィンガ７１６、及び移行凹部７２０及びバンドリングクリップファスナ７２２を有する移行バンドリングクリップ７１８からなる。図４９に示しているように、移行管理パネル７１０は、幹線ケーブル管理システム７００に据え付けられ、これらが略垂直で、スラック管理プレート７０２に対して偏倚するようにする。移行管理パネル７１０は、移行バンドリングクリップ用の取り付けポイント７１２を含む。図５２に示しているように、移行バンドリングクリップの取り付けポイント７１２は、移行管理パネル７１０内に構成された細長い穴であり、移行バンドリングクリップ７１８が、移行管理パネル７１０にしっかりと係合するか、ピン、ファスナ、セパレータ、ケーブルタイ及び／または他の機構が、幹線ケーブル１４または幹線ケーブル移行部２０を取り外し可能かつしっかりと組織することができる。複数の取り付けポイント７１２を各移行管理パネル７１０に配置することが好ましく、取り付けポイント７１２は、いくつか列がある複数の取り付けポイント７１２に配置することが好ましく、移行バンドリングクリップ７１８を互い違いに移行管理パネル７１０に取り付けられるようにする。パネル取り付けクリップ７１４は、略長方形の移行管理パネル７１０の各コーナーに概して配置され、移行管理パネル７１０がケーブル管理フィンガ７１６にしっかりと固定されるように構成されている。
【００３６】
図４７、図４８及び図４９に示すように、ケーブル管理フィンガ７１６が垂直なケーブルマネージャ７０８からシャーシ１００の前後に向かって突き出している。ケーブル管理フィンガ７１６は、好ましくは、シャーシ１００から最も遠いフィンガ７１６の端部に垂直な部分を含み、ケーブルをさらにしっかりと動かないようにする。移行管理パネル７１０は、好ましくは、ケーブル管理フィンガ７１６に据え付けられ、各移行管理パネル７１０の各パネル取り付けクリップ７１４が、異なるケーブル管理フィンガ７１６に配置されるようにする。移行管理パネル７１０は、ケーブル管理フィンガ７１６に、ケーブル管理フィンガ７１６の長さに沿った任意の点で固定することができ、それにより使用者はケーブル管理パネル７１０を互い違いにすることが可能になり、いくつかの移行管理パネル７１０が他の移行管理パネル７１０よりも垂直なケーブルマネージャ７０８の近くに位置するようにする。それによって、より多くの幹線ケーブル１４及び幹線ケーブル分岐脚６が、幹線ケーブル１４への引張が少ない状態で、より小さい領域で良好に管理できるようになる。
【００３７】
図４７、図４８、図４９、及び図５０に示しているように、移行バンドリングクリップ７１８は、取り付けポイント７１２を介して移行管理パネル７１０に据え付けられている。図５１に示しているように、移行バンドリングクリップ７１８は移行陥凹部７２０を含む。移行陥凹部７２０は、好ましくは、幹線ケーブル１４と幹線ケーブル分岐脚６との間の幹線ケーブル移行部２０内に配置され、幹線ケーブル移行部２０が移行陥凹部７２０内にしっかりと収容され、移行部への引張を減少または除去するようにする。
【００３８】
図５２及び図５３に示しているように、パネル取り付けクリップ７１４は、好ましくは、２つのタイプのクリップ、スナップフィットパネル取り付けクリップ７２８またはルーズフィットパネル取り付けクリップ７３０のうちの１つである。好ましくは、２つのスナップフィットパネル取り付けクリップ７２８は、移行管理パネル７１０の一方の側に位置し、２つのルーズフィットパネル取り付けクリップ７３０またはスナップフィットパネル取り付けクリップ７２８は、移行管理パネル７１０の反対側に位置する。図５４Ａ及び図５４Ｂに示しているように、バンドリングクリップファスナ７２２は、移行バンドリングクリップ７１８及び移行管理パネル７１０と係合して、移行バンドリングクリップ７１８を移行管理パネル７１０にしっかりと固定する。
【００３９】
幹線ケーブル１４、幹線ケーブル分岐脚６、幹線ケーブル移行部２０を管理するための別の実施形態で、図５５に示しているように、移行管理パネル７１０ａは、高密度ファイバエンクロージャシステム２のラック装置レール１８に据え付けることができる。図５６Ａ及び５６Ｂに示しているように、移行管理パネル７１０ａは、移行管理パネル７１０ａをラック装置レール１８に直接固定するための取り付けポイント７１２ならびに溝付き切断隙間７１４ａを含む。移行管理パネル７１０ａは、移行管理パネル７１０ａが高密度ファイバエンクロージャシステム２の側面に沿って、または高密度ファイバエンクロージャシステム２の後部に沿って延在するように、高密度ファイバエンクロージャシステム２のラック装置レール１８に据え付けてもよい。使用者は、移行バンドリングクリップ７１８を用いて、幹線ケーブル移行部２０を、幹線ケーブル１４と幹線ケーブル分岐脚６の間に固定することができるが、この移行バンドリングクリップ７１８は取り付けポイント７１２を介して移行管理パネル７１０ａに据え付けられ、バンドリングクリップファスナ７２２で固定される。あるいは、使用者は、移行管理パネル７１０ａの幹線ケーブル移行部２０を、取り付けポイント７１２によって、当技術分野に既知のファスナ、例えばフック及びループテープで固定することができる。
【００４０】
次に、高密度ファイバエンクロージャシステム２の上記の機構の利用について説明する。
【００４１】
シャーシ１００を高密度ファイバエンクロージャシステム２に接続するために、使用者は、例えば図１７、図１８及び図１９に示しているように、ラック据え付けブラケット１２６を、シャーシ用ネジ１３０により皿穴貫通穴１２８を介してシャーシ１００に接続する。数列の皿穴貫通穴１２８が設けられ、使用者が適切な皿穴貫通穴１２８を選択することができるようにし、その皿穴貫通穴１２８が、高密度ファイバエンクロージャシステム２の前部を設置位置でシャーシ１００の前部で位置合わせするに至る。使用者は、シャーシ用ネジ１３０を皿穴貫通穴１２８、そしてシャーシ１００に挿入し、据え付けブラケット１２６を取り付ける。
【００４２】
シャーシ１００を高密度ファイバエンクロージャシステム２に据え付けるために、例えば図４６に示しているように、使用者は、ネジを完全に締め付けることなく、高密度ファイバエンクロージャシステム２に配置された保持用の穴１０にネジを事前に設置する。使用者は、例えば、図１８及び図１９に示しているように、ラック据え付けブラケット１２６を、溝付き切断隙間１３２を介して事前に設置されたネジに引っ掛けて、据え付けブラケット１２６に取り付けられたシャーシ１００を、溝付き切断隙間１３２の略水平な位置に置けるようにする。シャーシ１００が所望の位置にきたら、その時使用者は事前に設置されているネジをきつく締め、シャーシ１００を高密度ファイバエンクロージャシステム２内へと固定する。
【００４３】
使用者は、シャーシ１００の後部または前部のいずれかから、シャーシ１００のカセットトレイ２００の中へカセット４００を装填することができる。シャーシ１００の後部からシャーシ１００の中へカセット４００を装填するために、使用者は、カセット４００を、例えば、図２８に示しているように、カセット４００の前部、すなわち、カセット前部ポスト４１０に最も近いカセット４００の部分をカセットベイ２１８または２２０に最初に装填して、左側カセットベイ２１８または右側カセットベイ２２０に挿入し得る。カセット前部ポスト４１０はカセット後部ポスト４１２よりも狭く、そのため後部ポスト停止部２３８を通る際に後部ポスト停止部２３８と係合しない。使用者は、カセット後部ポスト４１２が後部ポスト停止部２３８と係合するまで、カセット４００をカセットベイ２１８または２２０内に前進させることができる。カセット後部ポスト４１２が後部ポスト停止部２３８に係合しているとき、カセット４００はカセットベイ２１８または２２０内にさらに前進することができない。カセット後部ポスト４１２が後部ポスト停止部２３８と係合すると同時に、カセット前部ポスト４１０は、カセットフレックスビーム２１４の捕捉壁２６６と係合する。カセットフレックスビーム２１４の捕捉壁２６６は、カセット前部ポスト４１０を保持し、これらがカセットベイ２１８または２２０に対してさらに前進できないようにする。カセットフレックスビーム２１４の捕捉壁２６６は、カセット前部ポスト４１０に後方への圧を加えることができ、カセット後部ポスト４１２を後部ポスト停止部２３８としっかり係合し、カセット４００がガタつかないように、さもなければ不意に動かないように保証している。次いで、使用者は、必要に応じて、パッチコード４及び幹線ケーブル分岐脚６をカセット４００に接続することができる。次いで、使用者は、後述するように、パッチコード４及び幹線ケーブル分岐脚６を経路決定することもできる。あるいは、使用者は、カセット４００をカセットベイ２１８または２２０に装填する前に、幹線ケーブル分岐脚６をカセット４００に設置することができる。
【００４４】
カセット４００を高密度ファイバエンクロージャ２の前部から装填するために、使用者はまずカセットトレイ２００を、以下に説明するカセット追加または交換位置に前進させる。次いで使用者は、例えば図２８及び図２９に示しているように、最初にカセットトレイ２００のベース２１０にカセット４００の後部を配置することによって、カセット４００をシャーシ１００の前部から、後部、つまりカセット後部ポスト４１２に最も近いカセットの部分をカセットベイ２１８または２２０に装填した状態で、右側カセットベイ２１８か左側カセットベイ２２０に挿入し、カセット後部ポスト４１２がカセットトレイレール２１２の前部ポスト停止領域２３４と後部ポスト停止部２３８との間に位置するようにする。カセット４００は、カセット４００の前部が、カセット４００の後部よりも高くなるように、わずかに上方に傾けられている。次いで、後部ポスト４１２が後部ポスト停止部２３８と係合するまで、カセット４００の前部がカセット４００の後部より幾分高い位置にあるように、カセット４００の傾きを維持したまま、使用者は後方へとカセット４００を進ませる。カセット４００の後部よりも前部を高くし続けることで、他の装置との接触を最小限に抑えている。カセット４００は、シャーシ１００に設置された他のカセット４００に接続され、カセットトレイレールのパッチコード管理ループ２４４を通るように経路決定されるいかなるパッチコード４をも外すべきである。後部ポスト４１２が後部ポスト停止部２３８に固定されると、使用者は、前部ポスト４１０の領域でカセット４００に下方への圧を加える。下方への圧を加えられると、カセットフレックスビーム２１４が撓み、前部ポスト４１０が、捕捉壁２６６の前部リードイン２６８を滑るように越えて、カセットフレックスビーム２１４の捕捉壁２６６と係合することを可能にする。使用者は次いで、必要に応じてパッチコード４及び幹線ケーブル分岐脚６をカセット４００に接続し、さらに、後述するようにパッチコード４及び幹線ケーブル分岐脚６を経路決定してもよい。あるいは、使用者は、カセット４００に下向きの圧を加えて前部ポスト４１０を固定する前に、パッチコード４を接続してもよい。
【００４５】
使用者は、シャーシ１００の後部または前部のいずれかにより、シャーシ１００のカセットトレイ２００からカセット４００を取り外すこともできる。シャーシ１００の後部からカセット４００を取り外すために、使用者は最初にパッチコード４をシャーシ１００の前部から外し、次にシャーシ１００の後部から幹線ケーブル分岐脚６を外す。次いで、使用者は、例えば図３６Ａ、図３６Ｂ、図３７、図３８、図３９、図４０及び図４１に示しているように、カセット４００の後部ポスト解除ラッチ４１４を位置付けて内方へ圧を加える。後部ポスト解除ラッチ４１４に内方への圧が加えられると、ラッチ４１４は撓み、後部ポスト４１２は後部ポスト停止部２３８から係合解除する。使用者が後部ポスト解除ラッチ４１４に内方への圧を加える続けるとき、カセット４００がシャーシ１００から外れるまで、使用者はカセット４００をシャーシ１００の後方に引っ張る。
【００４６】
図２９、図３０及び図３１は、シャーシ１００の前部からカセット４００を取り外して示している。シャーシ１００の前部からカセット４００を取り外すために、使用者は、カセットトレイ２００を、以下に説明するカセット追加または交換位置に最初に配置することができる。その後、使用者は、シャーシ１００の前部からパッチコード４を取り外す。次いで、使用者は、カセットの隙間２２２を介してカセット４００にアクセスしながら、前部ポスト４１０の近くでカセット４００の前部に上向きの圧を加え得る。使用者は、カセット４００に十分な上向きの圧を加え、フレックスビーム２１４を十分撓ませ、前部ポスト４１０がフレックスビーム２１４の捕捉壁２６６のディボット２７２を通れるようにする。前部ポスト４１０がフレックスビーム２１４の捕捉壁２６６の前部リードイン２６８から外れると、カセット４００は、図２９に示しているように、カセット４００の前部がカセット４００の後部よりも高くなるように傾けられる。次いで、使用者は、図３０に示しているように、概してカセット４００の傾きを維持しながら、カセット４００がシャーシ１００から外れるまで、カセット４００をシャーシ１００の前部に向かって引っ張ることができる。カセット４００の後部にある幹線ケーブル分岐脚６及びＭＰＯ幹線アダプタ５０８またはＭＰＯ  ＦＡＰパッチコードアダプタ６０４が見えたら、使用者は、幹線ケーブル分岐脚６を、ＭＰＯ幹線アダプタ５０８またはＭＰＯ  ＦＡＰパッチコードアダプタ６０４及びカセット４００から取り外すことができる。次に、図３１に示しているように、使用者は好ましくは、後部ポスト４１２が前部ポスト４１０と同じ高さになるようにしてカセット４００を位置決めすることで、カセット４００を取り外し、以下に説明するように、カセット４００は、シャーシ１００に設置されてカセットトレイレールのパッチコード管理ループ２４４を通るように経路決定されている他のカセット４００に接続されたいかなるパッチコード４をも外すべきである。
【００４７】
使用者は、ＬＣ−ＭＰＯカセット５００をＭＰＯ  ＦＡＰ６００に交換することもできる。まず、使用者は、ＬＣ−ＭＰＯカセット５００を取り外すために、上記のカセット４００を取り外す手順に従うことができる。次に、使用者は、幹線ケーブル分岐脚６をＭＰＯ幹線アダプタ６０４に接続し、上記のシャーシ１００の前部からカセット４００を設置するための指示に従って、新たなＭＰＯ  ＦＡＰ６００を挿入することができる。使用者がＭＰＯ  ＦＡＰ６００（最大５つの追加の幹線ケーブル分岐脚６を、５つの追加のＭＰＯ幹線アダプタ６０４に取り付けられるようにする）に、追加の幹線ケーブル分岐脚６を追加することを望む場合、使用者は追加の幹線ケーブル分岐脚６をカセットベイ２１８または２２０の後部を通るようにシャーシ１００の後部からＭＰＯ  ＦＡＰ６００の中に経路決定することができる。例えば図３８〜図４１を参照して上述したように、ＭＰＯ  ＦＡＰ６００は、複数の偏倚した列の集団機構ペグ６１２からなる集団機構６１０を含む。ダストキャップ１６が設置された追加の幹線ケーブル分岐脚６を、カセット６００の後部の中へ経路決定したあと、使用者は、集団機構ペグ６１２の間に幹線ケーブル分岐脚６のＭＰＯコネクタ８を嵌めることができる。それは、ＭＰＯコネクタ８を、偏倚した列の集団機構６１０により作り出された開いた経路に斜めに挿入し、図４０に示しているように、ＭＰＯ  ＦＡＰ６００の最後部に位置するペグ６１２の反対側に、幹線ケーブル分岐脚６を配置することによる。したがって、集団機構ペグ６１２は、幹線ケーブル分岐脚６を所定の位置に一時的に係止でき、使用者がカセットトレイ２００を以下に説明するカセット追加または交換位置に前進できるようにする。幹線ケーブル分岐脚６は、ＭＰＯ  ＦＡＰ６００の集団機構６１０内に係止されているので、それらはシャーシ１００の後部から落ちないよう保護され、代わりにＭＰＯ  ＦＡＰ６００と共に前方に引っ張られる。カセット６００がカセット追加または交換位置にくると、使用者はＭＰＯ  ＦＡＰ６００に手を伸ばして、ダストキャップ１６を取り外し、追加の幹線ケーブル分岐脚６を任意の利用可能なＭＰＯ幹線アダプタ６０４に取り付けることができる。次いで使用者は、必要に応じて任意の追加のパッチコード４を追加して経路決定し、ＭＰＯ  ＦＡＰ６００を定位置に戻すことができる。
【００４８】
例えば図１３、図１４、及び図１５を参照して上述したように、トレイガイド１０２、１０４及び１０６は、３つの戻り止め、前部戻り止め１２０、中央戻り止め１２２及び後部戻り止め１２４を含む。また、カセットシャーシ１００は、前方制限フランジ１１６と後方制限ブラケット１１８を含む。これらの機構の各々は、カセットトレイ２００の機構と相互作用して、３つの異なる位置、つまり定位置、コード移動または変更位置、及びカセット交換または追加位置間でのカセットトレイ２００の移動を容易にする。図１４に示しているように、定位置では、バネ突起２３０の隆起部２５６は、後部戻り止め１２４内に配置される。さらに、カセットトレイレール支持リブ２１８の最後部は、後方制限ブラケット１１８に当接し、これにより、カセットトレイ２００のいかなるさらなる後方移動をも阻止する。
【００４９】
パッチコード移動追加または変更位置において、バネ突起２３０の隆起部２５６は、図１４に示しているように、中央戻り止め１２２内に位置する。カセットトレイ２００を定位置から前進させるために、使用者は、シャーシ１００の前部に向かって十分な力を加えて、バネ突起２３０を撓ませ、隆起部２５６を後部戻り止め１２４から外れるようにし得る。次いで使用者は、隆起部２５６が中央戻り止め１２２に到達するまでシャーシ１００の前部に向かって力を加え続け、到達した時点で隆起部２５６が中央戻り止め１２２と相互作用して、カセットトレイ２００の前方移動を停止させる。
【００５０】
使用者がカセットトレイ２００をカセット交換または追加位置に前進させたい場合、使用者は、シャーシ１００の前部に向かって十分な力を加えて、バネ突起２３０を撓ませ、隆起部２５６を、中央戻り止め１２２から外れるようにし得る。次いで使用者は、隆起部２５６が前部戻り止め１２０に達するまで、シャーシ１００の前部に向かって力を加え続ける。また、隆起部２５６が前部戻り止め１２０に達すると同時に、カセットトレイ２００は前方制限フランジ１１６と係合し、カセットトレイ２００のさらなる前方移動を阻止する。カセットトレイ２００を、カセット交換または追加位置から、定位置か、パッチコード移動追加または変更位置へ移動させるために、使用者は、隆起部２５６がパッチコード移動追加または変更位置用の中央戻り止め１２２か、定位置用の後部戻り止め１２４に到達するまで、カセットトレイ２００に後方への力を加える。
【００５１】
使用者は、統合用クリップ３００を設置して、同一シャーシ１００内に２つの隣接するカセットトレイ２００を共に固定して、同時にそれらをシャーシ１００から出し入れするようにし得る。統合用クリップ３００を設置するために、使用者はまず、図１３に示しているように、カセットトレイ２００をパッチコード移動追加または変更位置に前進させることができる。次いで使用者は、図９と図１０に示しているように、統合用クリップ３００のケーブル管理領域３０４を、互いに結合されているカセットトレイ２００の前部パッチコード管理ループ２４４の上及びそれらの間に配置するために、統合用クリップ３００の据え付けポスト３０２を、各カセットトレイレール２１２に位置する統合用クリップ溝２５２内に挿入することができる。次いで、使用者は、統合用クリップ３００に下向きの圧を加えて、統合用クリップ３００の位置合わせポスト３０８を、カセットトレイレール２４０または２４２の最前部の頂部に係合して、統合用クリップ３００のケーブル管理領域３０４をカセットトレイ２００の前部パッチコード管理ループ２４４と位置合わせするのみならず、統合用クリップ３００をカセットトレイ２００に固定することができる。次いで、結合されたカセットトレイ２００を１つのユニットとして定位置に戻すことができる。
【００５２】
パッチケーブル４がシャーシ１００の前部を出るときに、パッチケーブル４を経路決定する２つの好ましい方法がある。分割経路決定方式の方法（例えば、図４４及び図４５に示すもの）と、一方向性経路決定方式の方法（例えば、図４２及び図４３に示すもの）である。統合用クリップ３００が設置されていない場合、分割経路決定方式の方法を使用することができる。分割経路決定方式を使用するために、使用者は、前部パッチコード管理ループ溝２５０にコードを滑るように入れることにより、パッチコード４を前部パッチコード管理ループ２４４に挿入することができる。左側カセットトレイ２００に設置されたカセット４００に取り付けられたパッチコード４は、最も左側の前部パッチコード管理ループ２４４を通るように経路決定され、一方、右側カセットトレイ２００に設置されたカセット４００に取り付けられたパッチコード４は、最も右側の前部パッチコード管理ループ２４４を通るように経路決定される。この構成により、各カセットトレイ２００は、移動するカセットトレイ２００と同列に収容された他のカセットトレイ２００に設置されるカセット４００に取り付けられたパッチコード４を乱すことなく、定位置、コード移動または変更位置、及びカセット交換または追加位置の間を、移動することを可能にする。
【００５３】
一方向性経路決定方式を使用してパッチケーブルを経路決定するために、使用者は最初に統合用クリップ３００を設置する。次いで、使用者は、パッチコード４をシャーシ１００の右または左に経路決定することによって、パッチコード４を経路決定する。次いで使用者は、コード４が前部パッチコード管理ループ２４４及び／またはケーブル管理領域３０４を通る際に、統合用クリップ３００の前部パッチコード管理ループ２４４及び／またはケーブル管理領域３０４に、各パッチコード４を挿入し得る。使用者は、コード４を前部パッチコード管理ループ溝２５０に滑るように入れることによって、パッチコード４を前部パッチケーブル管理ループ２４４に挿入する。使用者は、ケーブル４を統合用クリップ３００の上部の隙間３０６を介してケーブル管理領域３０４に滑るように入れることによって、パッチコード４を統合用クリップ３００のケーブル管理領域２４４に挿入する。パッチケーブル４が両方のカセットトレイ２００と同方向に経路決定され、カセットトレイ２００が統合用クリップ３００で共に結合されるので、両方のカセットトレイ２００は、定位置、コード移動または変更位置、及びカセット交換または追加位置の間を同時に移動する。
【符号の説明】
【００５４】
２  高密度ファイバエンクロージャシステム
４  ケーブル
６  幹線コード
８  コネクタ
１０  保持用の穴
１４  幹線ケーブル
１６  ダストキャップ
１８  ラック装置レール
２０  幹線ケーブル移行部
１００  シャーシ
１０２  左側トレイガイド
１０４  右側トレイガイド
１０６  中央トレイガイド
１０８  左側の壁
１１０  右側の壁
１１４  トレイガイドチャネル
１１６  前方制限フランジ
１１８  後方制限ブラケット
１２６  ブラケット
１２８  皿穴貫通穴
１３０  シャーシ用ネジ
１３２  切断隙間
１３４  シャーシカバー
１３６  中央前方制限ブラケット
１３８  中央後方制限ブラケット
１４０  前部アクセスドア
２００  カセットトレイ
２１０  トレイベース
２１２  カセットトレイレール
２１４  カセットフレックスビーム
２１６  前部凹部領域
２１８  右側カセットベイ
２２０  左側カセットベイ
２２２  隙間
２２８  支持リブ
２３０  バネ突起
２３２  停止ブロック
２３４  前部ポスト停止領域
２３６  ポスト停止不連続部
２３８  後部ポスト停止部
２４０  左側カセットトレイレール
２４２  右側カセットトレイレール
２４４  前部パッチコード管理ループ
２４６  前部ループ
２４８  隙間
２５０  前部パッチコード管理ループ溝
２５２  統合用クリップ溝
２５６  隆起部
２５８  カセットセンタリング機構
２６０  左側カセットフレックスビーム
２６２  右側カセットフレックスビーム
２６４  ビーム部
２６６  捕捉壁
２６８  前部リードイン
２７０  据え付け穴
２７２  ディボット
２７６  中央カセットトレイレール
３００  統合用クリップ
３０２  据え付けポスト
３０４  ケーブル管理領域
３０６  隙間
３０８  位置合わせポスト
４００  カセット
４０６  カセット本体
４０８  カセットカバー
４１０  カセット前部ポスト
４１２  カセット後部ポスト
４１４  カセット後部ポスト解除ラッチ
４１６  カセット後部解除ラッチ停止部
４１８  カセット本体ベース
４２０  右側側面
４２２  左側側面
４２４  右側の壁
４２６  左側の壁
４２８  上面インジケータ
４３０  底面インジケータ
４３２  突出部
４３４  隙間
４３６  凹部
５００  ＬＣ−ＭＰＯカセット
５０２  据え付け面
５０４  アダプタ
５０６  開口部
５０８  幹線アダプタ
６００  ファイバアダプタパネル
６０２  据え付け面
６０４  パッチコードアダプタ
６０８  底部開口部
６１０  集団機構
６１２  偏倚ペグ
７００  幹線ケーブル管理システム
７０２  スラック管理プレート
７０６  バネ装填ファスナ
７０８  ケーブルマネージャ
７１０  移行管理パネル
７１２  ポイント
７１４  クリップ
７１６  ケーブル管理フィンガ
７１８  移行バンドリングクリップ
７２０  移行凹部
７２２  バンドリングクリップファスナ
７２４  支持ピン
７２８  スナップフィットパネル取り付けクリップ
７３０  ルーズフィットパネル取り付けクリップ
【図１】
0006784666.tif 000002
【図２】
0006784666.tif 000003
【図３】
0006784666.tif 000004
【図４】
0006784666.tif 000005
【図５】
0006784666.tif 000006
【図６】
0006784666.tif 000007
【図７】
0006784666.tif 000008
【図８】
0006784666.tif 000009
【図９】
0006784666.tif 000010
【図１０】
0006784666.tif 000011
【図１１】
0006784666.tif 000012
【図１２】
0006784666.tif 000013
【図１３】
0006784666.tif 000014
【図１４】
0006784666.tif 000015
【図１５】
0006784666.tif 000016
【図１６】
0006784666.tif 000017
【図１７】
0006784666.tif 000018
【図１８】
0006784666.tif 000019
【図１９】
0006784666.tif 000020
【図２０】
0006784666.tif 000021
【図２１Ａ】
0006784666.tif 000022
【図２１Ｂ】
0006784666.tif 000023
【図２２】
0006784666.tif 000024
【図２３】
0006784666.tif 000025
【図２４】
0006784666.tif 000026
【図２５Ａ】
0006784666.tif 000027
【図２５Ｂ】
0006784666.tif 000028
【図２６Ａ】
0006784666.tif 000029
【図２６Ｂ】
0006784666.tif 000030
【図２７Ａ】
0006784666.tif 000031
【図２７Ｂ】
0006784666.tif 000032
【図２８】
0006784666.tif 000033
【図２９】
0006784666.tif 000034
【図３０】
0006784666.tif 000035
【図３１】
0006784666.tif 000036
【図３２】
0006784666.tif 000037
【図３３】
0006784666.tif 000038
【図３４Ａ】
0006784666.tif 000039
【図３４Ｂ】
0006784666.tif 000040
【図３５Ａ】
0006784666.tif 000041
【図３５Ｂ】
0006784666.tif 000042
【図３６Ａ】
0006784666.tif 000043
【図３６Ｂ】
0006784666.tif 000044
【図３７】
0006784666.tif 000045
【図３８】
0006784666.tif 000046
【図３９】
0006784666.tif 000047
【図４０】
0006784666.tif 000048
【図４１】
0006784666.tif 000049
【図４２】
0006784666.tif 000050
【図４３】
0006784666.tif 000051
【図４４】
0006784666.tif 000052
【図４５】
0006784666.tif 000053
【図４６】
0006784666.tif 000054
【図４７】
0006784666.tif 000055
【図４８】
0006784666.tif 000056
【図４９】
0006784666.tif 000057
【図５０】
0006784666.tif 000058
【図５１】
0006784666.tif 000059
【図５２】
0006784666.tif 000060
【図５３】
0006784666.tif 000061
【図５４Ａ】
0006784666.tif 000062
【図５４Ｂ】
0006784666.tif 000063
【図５５】
0006784666.tif 000064
【図５６Ａ】
0006784666.tif 000065
【図５６Ｂ】
0006784666.tif 000066